(57)【要約】【課題】影を小さくして外観性を良好にすることができる照明器具を提供する。【解決手段】照明器具１０は、電源線１１の下方側においてグローブ１４の開口部１５より内側に進入させてグローブ１４の開口部１５の縁部内面に当接する第１保持部材１８と、第１保持部材１８に合体することにより第１保持部材１８がグローブ１４の開口部１５から外側へ外れることを阻止し、給電部１６に一体に取り付けられた第２保持部材１９と、を備えた。【選択図】図１
2010251269.tif 000002
【特許請求の範囲】
【請求項１】
天井より下方へ導出する電源線と、
前記天井側に開口部を有するグローブと、
前記電源線の下方部に設けられた給電部と、
前記給電部に装着されるランプと、
を備えた照明器具であって、
前記電源線の下方側において前記グローブの前記開口部より内側に進入させて前記グローブの前記開口部の縁部内面に当接する第１保持部材と、
前記第１保持部材に合体することにより前記第１保持部材が前記グローブの前記開口部から外側へ外れることを阻止し、前記給電部に一体に取り付けられた第２保持部材と、
を備えたことを特徴とする照明器具。
【請求項２】
前記第１及び第２保持部材は透光性を有する材料で成形されていることを特徴とする請求項１に記載した照明器具。
【発明の詳細な説明】
【技術分野】
【０００１】
本発明は、例えば引掛シーリング等を用いて住宅等の天井面に取り付けられるペンダント用の照明器具に関する。
【背景技術】
【０００２】
従来の照明器具の一例として、透明な球形状のグローブの円周上の対向する位置に支承部に有する腕部を設け、腕部に遮光カバーをネジ止めした照明器具がある（例えば、特許文献１参照）。
【先行技術文献】
【特許文献】
【０００３】
【特許文献１】特開平１０−３１２７１０号公報（図１、段落番号０１１９）
【発明の概要】
【発明が解決しようとする課題】
【０００４】
ところが、上記特許文献１に開示された従来の照明器具では、グローブを支持する部位の影が大きく見えていた。これを解消して影を小さくするためにグローブを支持する部位を小さくすると、支持力の低下をまねいて安全性の低下が懸念される。
従って、外観性が良好ではなかった。
【０００５】
本発明は、前述した課題を解決するためになされたものであり、その目的は、影を小さくして外観性を良好にすることができる照明器具を提供することにある。
【課題を解決するための手段】
【０００６】
本発明に係る照明器具は、天井より下方へ導出する電源線と、前記天井側に開口部を有するグローブと、前記電源線の下方部に設けられた給電部と、前記給電部に装着されるランプと、を備えた照明器具であって、前記電源線の下方側において前記グローブの前記開口部より内側に進入させて前記グローブの前記開口部の縁部内面に当接する第１保持部材と、前記第１保持部材に合体することにより前記第１保持部材が前記グローブの前記開口部から外側へ外れることを阻止し、前記給電部に一体に取り付けられた第２保持部材と、を備えたことを特徴とする。
【０００７】
本発明においては、第１保持部材および第２保持部材は、それぞれが単体状態においてグローブの開口部よりも十分に小さい外形を有する。そして、第１保持部材を電源線の下方側においてグローブの開口部より内側に進入させてグローブの開口部の縁部内面に当接させ、第２保持部材を電源線の下方側においてグローブの開口部より内側に進入させて第１保持部材に合体させる。
これにより、第１保持部材および第２保持部材のそれぞれを合体させることによりグローブの開口部から外側へ外れることを阻止する。
従って、影を小さくして外観性を良好にすることができる。
【０００８】
本発明に係る照明器具は、上記構成の照明器具において、前記第１及び第２保持部材は透光性を有する材料で成形されていることを特徴とする。
【０００９】
本発明においては、第１保持部材および第２保持部材のそれぞれが影を創生する要素を有さない。
従って、両保持部材による影のない照明を行うことができる。
【発明の効果】
【００１０】
本発明の照明器具によれば、電源線の下方側においてグローブの開口部より内側に進入させてグローブの開口部の縁部内面に当接する第１保持部材と、第１保持部材に合体することにより第１保持部材がグローブの開口部から外側へ外れることを阻止し、給電部に一体に取り付けられた第２保持部材と、を備えた。
これにより、影を小さくして外観性を良好にすることができるという効果を有する。
【図面の簡単な説明】
【００１１】
【図１】本発明に係る一実施形態の照明器具の分解斜視図
【図２】図１に示した照明器具に用いた第１保持部材の平面図
【図３】図１に示した照明器具に用いた第２保持部材の平面図
【図４】図１に示した照明器具における第１、第２保持部材の合体後の斜視図
【図５】図４の第１、第２保持部材の平面図
【図６】図１に示した照明器具の使用状態の正面図
【図７】図６に示した照明器具の第１、第２保持部材周りの拡大図
【発明を実施するための形態】
【００１２】
以下、本発明の一実施形態に係る照明器具について図面を参照して説明する。
【００１３】
図１に示すように、本発明の一実施形態である照明器具１０は、天井より下方へ導出する電源線１１と、カバー１２と、カバーナット１３と、天井側に開口部１５を有するグローブ１４と、電源線１１の下方部に設けられたソケットである給電部１６と、給電部１６に装着されるランプ１７と、第１保持部材１８と、第２保持部材１９と、保持部材ナット２０と、を備える。
【００１４】
電源線１１は、その上端部に不図示の引掛シーリングが接続されている。引掛シーリングは天井側に設けられた省施工用部品に引掛接続されることにより照明器具１０を天井からぶら下げる。
【００１５】
グローブ１４は、例えば乳白色の樹脂材料を用いて球状に形成されている。開口部１５は内径寸法Ｄ１を有してグローブ１４の天部において円形の貫通穴状に形成されている。カバー１２およびカバーナット１３はグローブ１４の上部に配置される。
【００１６】
給電部１６は、その上部に円筒形状の雄ネジ軸２１を有し、雄ネジ軸２１内に電源線１１を挿通している。
【００１７】
図２に示すように、第１保持部材１８は、例えば硬質の透光性を有する樹脂材料を用いて円板形状に形成されており、クリップ２２を雄ネジ軸２１に装着することにより給電部１６に一体に取り付けられている。
【００１８】
第１保持部材１８は、円板形状をなす本体部２３の中央部に雄ネジ軸２１を挿通させるための第１軸穴２４を有する。第１保持部材１８は、本体部２３の外周部の対向位置に一対の扇状の第１グローブ当接面形成部２５を有し、第１グローブ当接面形成部２５の間にＩ字形状の切欠部２６をそれぞれ有する。第１保持部材１８はグローブ１４の開口部１５よりも十分に小さい外形を有する。
【００１９】
図３に示すように、第２保持部材１９は、第１保持部材１８と同様にして例えば硬質の透光性を有する樹脂材料を用いて板形状に形成されている。
【００２０】
第２保持部材１８は、第１保持部材１８の切欠部２６に挿入されて合体するＩ字形状の本体部２７を有し、本体部２７の中央部に雄ネジ軸２１を挿通させるための第２軸穴２８を有する。本体部２７は両端部に一対の第２グローブ当接面形成部２９を有する。第２保持部材１９はグローブ１４の開口部１５よりも十分に小さい外形を有する。
【００２１】
図４に示すように、第１保持部材１８と第２保持部材１９とは合体される。合体に際しては、グローブ１４の内部で第１保持部材１８の切欠部２６に第２保持部材１９を落とし込むだけで簡単に両者が合体する。
【００２２】
第１保持部材１８と第２保持部材１９とが合体されたことにより、第１保持部材１８の一対の第１グローブ当接面形成部２５と第２保持部材１９の一対の第２グローブ当接面形成部２９とにより同芯単一のグローブ当接面３０が形成される。第１保持部材１８と第２保持部材１９とにより形成されたグローブ当接面３０はグローブ１４の開口部１５の内径寸法Ｄ１よりもわずかに大きい外径寸法Ｄ２を有する。
【００２３】
図５に示すように、第１保持部材１８と第２保持部材１９とが合体された後に、電源線１１に挿通されている保持部材ナット２０が給電部１６の雄ネジ軸２１にねじ込まれる。これにより、両保持部材１８，１９は位置ずれすることなく一体に組み立てられ、給電部１６と両保持部材１８，１９とが電源線１１にぶら下げられる。
【００２４】
次に、照明器具１０の組立手順について説明する。
【００２５】
まず、電源線１１の下端部を第１保持部材１８に挿通してから給電部１６に電気的に接続し、給電部１６から引き出されている電源線１１に、第２保持部材１９、保持部材ナット２０、カバー１２、カバーナット１３の順で挿通し、電源線１１の上端部に引掛シーリングを接続する。
【００２６】
次に、開口部１５を上方にしたグローブ１４を給電部１６に向けて進行させていき、開口部１５を通じてグローブ１４の内部に給電部１６と第１保持部材１８と第２保持部材１９とを挿入する。
【００２７】
このとき、第１保持部材１８および第２保持部材１９はグローブ１４の開口部１５よりも十分に小さい外形を有するために、開口部１５を通じてグローブ１４の内部に簡単に挿入される。
【００２８】
第１保持部材１８と第２保持部材１９とがグローブ１４内に収容された後に、第１保持部材１８に第２保持部材１９を合体させる。
【００２９】
第１保持部材１８と第２保持部材１９とが合体されることによりグローブ１４の開口部１５よりもわずかに大きい外径寸法Ｄ２を有するグローブ当接面３０が形成される。
【００３０】
図６に示すように、次に、保持部材ナット２０が給電部１６の雄ネジ軸２１にねじ込まれ、これらの上方に給電部１６の雄ネジ軸２１に挿通されたカバー１２が被され、カバー１２の上部においてカバーナット１３が給電部１６の雄ネジ軸２１にねじ込まれることにより組立が完了する。
【００３１】
図７に示すように、それぞれが合体した第１保持部材１８および第２保持部材１９により形成されたグローブ当接面３０の外径寸法Ｄ２は、グローブ１４の開口部１５の内径寸法Ｄ１よりもわずかに大きい。そのため、グローブ当接面３０がグローブ１４の開口部１５の縁部内面に当接してグローブ１４を下方から支持することになる。
【００３２】
本発明の一実施形態の照明器具１０では、第１保持部材１８および第２保持部材１９は、それぞれが単体状態においてグローブ１４の開口部１５よりも十分に小さい外形を有する。そして、第１保持部材１８を電源線１１の下方側においてグローブ１４の開口部１５より内側に進入させてグローブ１４の開口部１５の縁部内面に当接させ、第２保持部材１９を電源線１１の下方側においてグローブ１４の開口部１５より内側に進入させて第１保持部材１８に合体させる。
これにより、第１保持部材１８および第２保持部材１９のそれぞれを合体させることによりグローブ１４の開口部１５から外側へ外れることを阻止する。
従って、影を小さくして外観性を良好にすることができる。
【００３３】
本発明の一実施形態の照明器具１０では、第１保持部材１８および第２保持部材１９のそれぞれが影を創生する要素を有さない。
従って、両保持部材１８，１９による影のない照明を行うことができる。
【００３４】
なお、前記各実施形態で使用した電源線１１、カバー１２、ランプ１７等は例示したものに限定するものではなく適宜変更が可能である。
【符号の説明】
【００３５】
１０  照明器具
１１  電源線
１４  グローブ
１５  開口部
１６  給電部
１７  ランプ
１８  第１保持部材
１９  第２保持部材
【図１】
2010251269.tif 000003
【図２】
2010251269.tif 000004
【図３】
2010251269.tif 000005
【図４】
2010251269.tif 000006
【図５】
2010251269.tif 000007
【図６】
2010251269.tif 000008
【図７】
2010251269.tif 000009